(57)【要約】【課題】柵棒の破損のおそれがなく、柵棒鎖錠用けづめ状部材の鎖錠手段が外部から見えない格子を提供する。【解決手段】  本発明は、排水溝またはそれに類似するものを閉鎖するための枠に関する。格子は、枠（７）への鎖錠用指状部材（８）を自由な端部に有する、弾性的に変形できる内方柵棒（２）を含むことを特徴としており、枠（７）に取付けられている状態では、上記指状部材は、無空洞外縁部（９）の下方に位置し、外部から実質的に見えないように保護されている。本発明は、道路設備の分野で適用される。
2005534837.tif 000002
【特許請求の範囲】
【請求項１】
枠（７）に弾性的に固定されるための格子（１）であって、
前記格子（１）は交差した柵棒（２，３）を含み、
格子（１）の少なくとも一つの柵棒（２）は他の柵棒（２）と違って弾性的に変形できると共に、上記格子（１）が枠（７）に弾性的に鎖錠して固定するための指状部材（８）を備えており、
前記弾性的に変形できる柵棒は格子（１）の内方柵棒（２）であり、
前記内方柵棒（２）の自由端部には指状部材（８）を有しており、
前記指状部材（８）は弾性的に変形できる柵棒（２）に対して横断方向に形成された格子の無空洞外縁部（９）の下方に位置していて、
前記指状部材（８）はその一方が格子の無空洞外縁部（９）で保護され、他方は枠（７）内に位置して外部から実質的に見えないようにしたことを特徴とする、
排水溝またはそれに類似するものを閉鎖するために枠（７）に取り付けるための格子。
【請求項２】
格子（１）と枠（７）がそれぞれ向いている方向に無関係に弾性的に固定するため、弾性的に変形できる二つ目の内方柵棒（２）を格子（１）に含み、
前記二つ目の内方柵棒（２）は、弾性的に変形できる二つ目の柵棒（２）に対して横断方向に伸びている一つ目の内方柵棒（２）の指状部材（８）の保護用無空洞外縁部（９）の反対側である格子のもう一つの無空洞外縁部（９）の下方に位置し、
前記二つ目の内方柵棒（２）の自由端部に枠（７）に鎖錠できる指状部材（８）を有することを特徴としている、請求項１に記載の格子。
【請求項３】
格子が弾性的に変形できる二つの内方柵棒（２）および横断方向柵棒（３）を含み、各鎖錠用指状部材（８）が内方柵棒（２）の延長にあり、格子（１）の関係無空洞外縁部（９）の下に配置されるよう、上記柵棒の外面と相対的に下方に位置がずれていて、外面が内方柵棒（２）と同一平面にあって、柵棒（２）が並列柵棒層であることを特徴とする、請求項２に記載の格子。
【請求項４】
枠（７）の一隅に近接して位置し、枠に対応する側壁の内面に固定してある、鎖錠用フックの形状の部分（１０）を含み、
各鎖錠用指状部材（８）が前記鎖錠用フックの形状の部分（１０）に加圧して弾性的に嵌合させることを特徴とする、請求項１から３の何れかに記載の請求項による格子。
【請求項５】
各鎖錠用指状部材（８）が、丸みを帯びたけづめ状部（８ｂ）の自由端部で延長されている誘導用の曲面状傾斜路（８ａ）を備えており、けづめ状部（８ｂ）が、同じく丸みを帯びた自由端部（１０ａ）を有する鎖錠用フック状部分（１０）内に嵌合して固定され、格子（１）を開口状態にするために枠（７）から格子を引き離すとき、フック状部分（１０）を指状部材（８）から弾性的に離脱させられることを特徴とする、請求項４に記載の格子。
【請求項６】
弾性的に変形できる内側柵棒（２）に隣接する格子の外方柵棒（２）と枠（
７）との間に存在するスペース内に、衡鑿の如き道具（１２）を挿入し、格子（１）を持ち上げ、離脱させる応力を外方柵棒（２）に作用させることによって、一つの側方またはその反対の側方で、格子を枠（７）から引き離せる、請求項２から請求項５までの何れか一つの請求項に記載の格子。
【請求項７】
二つのフック状部分（１０）で二つの鎖錠用指状部材（８）に作用する鎖錠力で、枠（７）の一隅に位置する支承面（１１）にそれぞれ支承される、格子（１）の四隅にそれぞれ位置している四つの支承用足部（１３）を備えることを特徴とする、請求項４から請求項６までの何れか一つの請求項に記載の格子。
【請求項８】
一方の側方または他方の側方で離脱させた後、枠（７）に対して反対側に枢動でき、角位置で約１２０度開口した状態で、枠に係留できることを特徴とする、請求項２から請求項７までの何れか一つの請求項に記載の格子。
【請求項９】
請求項７に記載の格子を一方の側方または他方の側方で離脱させた後、枠（７）に対して反対側に枢動でき、角位置で約１２０度開口した状態で、枠に係留できる格子であって、立っている格子（１）が、枠（７）の二つの壁（１０）、（１７）に支承して固定され、二つの壁の一つが、鎖錠用フック状部分（１０）で構成し同一側方に位置する二つの支承用足部（１３）により枠（７）に開口状態に保持されることを特徴とする、格子。
【請求項１０】
鎖錠用指状部材（８）の離脱後、格子が枠（７）から直接、完全に引き離せることを特徴とする、請求項１から９の何れかに記載の格子。
【請求項１１】
鎖錠用指状部材（８）がほぼ対角線状に向かい合っていることを特徴とする、請求項２から請求項１０までの何れかに記載の格子。
【請求項１２】
並列柵棒（２）と横断方向柵棒（３）が格子（１）の一方の側方で流水通過用並列スリット（４）を形成し、他方の側方で流水通過用横断方向スリット（５）を形成しており、
前記流水通過用並列スリット（４）が歩道側に配置され、前記流水通過用横断方向スリット（５）が歩道への枠（７）の固定の方向とは無関係に、車道側に配置されるように、格子（１）が枠（７）内に固定されていることを特徴とする、請求項３から請求項１１までの何れかに記載の格子。
【発明の詳細な説明】
【技術分野】
【０００１】
本発明は、例えば排水溝またはそれに類似するものを閉鎖し得る格子に関する。
【背景技術】
【０００２】
交差した柵棒を含み、格子が枠内に弾性的に固定されるように、格子の端の二つの外方の柵棒が他の柵棒と違って弾性的に変形できる、車道のマンホールを閉鎖するための格子は知られている。両端の各柵棒は、その両端で格子に連結されており、両端の間において、枠内に配設してある切欠きに係留できるけづめ状部材で固定される。
【０００３】
格子をその枠から取り外すために、衡鑿のような道具を枠と端の一つの柵棒との間に挿入し、けづめ状部材を関係切欠きから取り外すと、端側の柵棒は、隣接柵棒の方向に変形する。
【発明の開示】
【発明が解決しようとする課題】
【０００４】
既知の格子は、格子の取り外しに必要な道具が、変形できる柵棒に直接作用するので、上記道具が上記端の柵棒を破損する恐れがある。
また、弾性的に変形できる各外方柵棒の鎖錠用けづめ状部材は、上記枠内の格子に取付けてある状態で、外方から見えるので、悪意のある者が枠内への格子の鎖錠手段をすぐ知ることができ、上記格子を不法に開放してみることが可能である。なお、この種の格子を鋳造所で製造する過程で、回収用容器に乱雑に入れると、相互に突き当たって、とりわけ弾性的に変形できる外方柵棒に存在している外方柵棒を破損させる恐れがある。
【課題を解決するための手段】
【０００５】
本発明は、既知の格子の上記欠点を排除することを目的としている。
【０００６】
本発明は、そのために、交差した柵棒を含み、格子の少なくとも一つの柵棒が他の柵棒と違って弾性的に変形できると共に、上記格子が枠に弾性的に取付けられるために、枠に鎖錠できる指状部材を備えており、弾性的に変形できる柵棒が格子の内方柵棒であり、記指状部材は弾性的に変形できる柵棒に対して横断方向に形成された格子の無空洞外縁部の下方に位置していて、前記指状部材はその一方が格子の無空洞外縁部で保護され、他方は枠内に位置して外部から実質的に見えないようにしたことを特徴とする、排水溝またはそれに類似するものを閉鎖するために枠に取り付けるための格子を提案する。
【０００７】
上記格子は、格子と枠がそれぞれ向いている方向に無関係に弾性的に固定するため、弾性的に変形できる二つ目の内方柵棒を格子に含み、前記二つ目の内方柵棒は、弾性的に変形できる二つ目の柵棒に対して横断方向に伸びている一つ目の内方柵棒の指状部材の保護用無空洞外縁部の反対側である格子のもう一つの無空洞外縁部の下方に位置し、前記二つ目の内方柵棒の自由端部に枠に鎖錠できる指状部材を有していることが望ましい。
【０００８】
上記格子は、弾性的に変形できる二つの内方柵棒および横断方向柵棒を含んでおり、各指状部材が関係内方柵棒の延長になっており、格子の関係無空洞外縁部の下に配置されるために、上記柵棒の外面と相対的に下方に位置がずれていて、外面が内方柵棒と同一平面にある、通常、並列柵棒層からなる。
【０００９】
各鎖錠用指状部材は、枠の一隅に近接して位置する、枠に対応する側壁の内面に固定してある、鎖錠用フックの形状の部分に、加圧で弾性的に嵌合する。
【００１０】
各鎖錠用指状部材は、丸みを帯びたけづめ状部の自由端部で延長してある、誘導用の曲面状傾斜路を備えており、けづめ状部が、同じく丸みを帯びた自由端部を有する鎖錠用フック状部分内に嵌合して固定されるが、格子を開口状態にするために、枠から格子を引き離すとき、フック状部分を指状部材から弾性的に離脱させられる。
【００１１】
格子は、弾性的に変形できる内側柵棒に隣接する格子の外方柵棒と枠との間に存在するスペース内に、衡鑿の如き道具を挿入し、格子を持ち上げ、離脱させる応力を外方柵棒に作用させることによって、一つの側方またはその反対の側方で、枠から引き離せる。
【００１２】
格子は、二つのフック状部分で二つの鎖錠用指状部材に作用している鎖錠力で、枠の一隅に位置する支承面にそれぞれ支承されている、格子の四隅にそれぞれ位置している四つの支承用足部を備えている。
【００１３】
格子は、一方の側方または他方の側方で離脱させた後、枠に対して反対側に枢動でき、角位置で約１２０度開口した状態で、枠に係留できる。
【００１４】
有利なことに、格子は、一つの立っている壁面が鎖錠用フック状部分からなる、枠の立っている二つの壁面のそれぞれに支承して固定されている、同一側方に位置する二つの支承用足部で、枠に、開口状態に保持される。
【００１５】
格子は、二つの鎖錠用指状部材の内のいずれか一つの離脱後、枠から直接、完全に引き離せる。
【００１６】
鎖錠用指状部材は、ほぼ対角線状に向かい合っている。
【００１７】
並列柵棒と横断方向柵棒は、格子の一方の側方で、流水通過用並列スリットを、他方の側方で、流水通過横断方向スリットを形成しており、格子は、車道での枠の固定の方向とは無関係に、並列スリットが歩道側に配置され、横断方向スリットが車道側に配置されるように枠に固定する。
【発明を実施するための最良の形態】
【００１８】
本発明は、添付した例としてのみ示されている断面図を参照して、以下の説明を読むことによって、良く理解され、本発明のその他の目的、特性、詳細な点および利点がより明らかになるであろう。
【実施例】
【００１９】
図示したように、本発明による格子１は、鋳造された、並列横断方向柵棒３と並列柵棒２からなる柵棒層を特に備えている。柵棒２と３は、格子の１つの側方に位置する並列スリット４、上記格子の反対側に位置する横断方向スリット５および上記格子のほぼ中央部に位置する中間並列スリット６を画定している。スリット４ないし６で、排水が可能になっている。
【００２０】
格子１は、排水溝を閉鎖するために、車道（図示されていない）に固定してある、この場合には長方形である枠７に、弾性的に固定してある。格子は、当然、車道のマンホールを閉鎖するためにも使用できる。
【００２１】
本発明に従って、格子１は、格子を枠７に、取り外しできるように取り付けることを可能にする、他の柵棒２と違って弾性的に変形できる二つの内方柵棒２を備えている。
【００２２】
二つの弾性的に変形できる柵棒２は、相互に対置しており、格子１が枠７に取付けられているとき、枠の巾になる壁面に近接して位置する二つの外方端部柵棒２にそれぞれ隣接している。
【００２３】
二つの弾性的に変形できる柵棒２は、それぞれの両端が横断方向柵棒３に連結されており、後述で示しておくように、ほぼ対角線上に対置されるように、枠の巾に平行して、相互に逆方向を向いていて、枠７に鎖錠できる二つの指状部材８をそれぞれ反対側の自由端部に担持している。
【００２４】
各鎖錠用指状部材８は、２に対応した内方柵棒の延長部に位置しており、外面が内方柵棒２の表面と同一平面に位置する、格子１の対応する無空洞外縁部９の下に配置されるために、上記外面に対して相対的に下方にずらしてある。格子の二つの無空洞外縁部９は、格子の一つの側方から特定の距離で、相互に逆方向に平行して伸びる、格子の対角線上の二つの隅部をそれぞれ基点としている。無空洞外縁部９は、格子が枠に取付けられているとき、それぞれ枠７の長手方向壁面の一部に向かい合わせになる。無空洞外縁部９の幅とほぼ同一長さにわたって伸びて、上記縁部９の下に収納される各指状部材８は、そうすることによって、上記格子の鋳造所における製造時に、衝撃から保護される。事実、各指状部材８が格子の無空洞外縁部９のすぐ下に位置して、外方から保護されているので、格子が製造後に回収用容器に乱雑に入れると、格子が相互に突き当たるとき、鎖錠用指状部材は、衝撃に耐えることが出来ない。また、格子１が枠７に取付けられているとき、各鎖錠用指状部材は、縁部９によって外部から保護されているだけでなく、外部から実質的に見えないので、悪意を持った者にとって、鎖錠用指状部材に触ることが、より困難になる。
【００２５】
各指状部材８は、上記枠に近接して位置して、枠７の長手方向壁面の内面に連結されている鎖錠用フック１０の形態の部分に加圧して、弾性的に嵌合できる。フックの形状の二つの部分１０は、もちろん上記枠のた相対する対角線上の二つの隅部に隣接して位置している。フックの形状の部分１０は、それ自体、枠７の長手方向壁面に垂直な支承面１１にほぼ垂直に伸びている。
【００２６】
図７と図８で、より良く分かるように、格子の無空洞外縁部９の下にほぼ垂直に伸びている各鎖錠用指状部材８は、鎖錠用フックの形状の部分１０の上方の丸みを帯びた端部１０ａ上で指状部材８の誘導を保証する誘導用曲面状傾斜路８ａおよび図７に示してあるように、フックの形状の部分１０に、加圧することにより嵌合して固定させるための丸みを帯びたくちばし状部８ｂの自由上方端部を備えている。図８は、鎖錠用指状部材をそれぞれ対応する鎖錠用フック１０内に嵌合させるための下方の向う応力を格子に作用させる前に、格子１を枠７に置いてあるだけの各鎖錠用指状部材８の状態を示している。従って、図８は、各鎖錠用指状部材８のくちばし状部８ｂが鎖錠用フックの形状の１０の丸みを帯びた上端の縁部１０ａに支承されている。また、指状部材８のくちばし状部８ｂとフックの形状の部分１０の双方の丸みを帯びた部分１０ａは、衡鑿１２のような道具で、格子の対応端部に加圧して持ち上げるとき、部分１０の指状部材８の離脱を容易にするために共働する。
【００２７】
格子１は更に、格子が枠に取付けられているとき、枠７の各隅部に位置している四つの支承面１１上にそれぞれ支承される、この四つの隅部にそれぞれ位置している四つの支承用足部１３を備えている。二つの鎖錠用フックの形状の部分１０は、支承用足部１３を支承面１１上に保持する応力をそれぞれ二つの鎖錠用指状部材８に作用させる。
【００２８】
格子は、対応する弾性的に変形できる内方柵棒２に隣接した各並列内方柵棒２のレベルで、格子１の上面の下方に垂直に伸びる二つの横断方向プレート１５の端部に連結されている四つの別の支承用足部１４も備えている。枠７内での格子１の鎖錠状態では、四つの支承用足部１４は、支承面１１の延長としてであるが、支承面よりも一段低いレベルの四つの支承面１６にそれぞれ鎖錠用手段８と１０で支承される。足部１４と補強用プレート１５は、格子上を重い乗物が通過するとき、格子の撓曲または変形を抑制できる。また、各鎖錠用指状部材８は、格子の下方で、指状部材よりも突出している二つの支承用足部１３と１４の間に存在するので、格子の製造時に、より良く保護される。
【００２９】
これから格子の取り付けおよび枠７からの取り外しについて説明する。
【００３０】
枠７が、例えば、車道に設置され、取付けられている場合、格子１を枠７に水平に位置付けするだけで良い。
【００３１】
そのとき、鎖錠用指状部材８は、図８に示すように、鎖錠用フックの形状の部分１０の上端の縁部のそれぞれと接触し、格子の少なくともいずれか一つの端部に加えた応力の作用で、鎖錠用指状部材８は、加圧で、それぞれの対応フック１０に弾性的に導入される。それに図７は、指状部材８をその鎖錠用フック１０内に加圧して嵌合させるときの各柵棒２が蒙る弾性的変形を混合破線で示している。各内方柵棒２の弾性的変形は、格子が球状黒鉛鋳鉄（ＧＳ）で製作してあることによって可能になっている。
【００３２】
格子１をその枠７から取り外すには、図２に示してあるように、格子１の対応側方を持ち上げるために、いずれか一つの端の並列柵棒２と枠７との間に存在する空所内に、道具１２を挿入し、加圧して、指状部材８をその鎖錠用フック１０から取り外すだけで良い。こうして、外方柵棒２を掴むことによって、格子１を手動で持ち上げることが可能であり、格子は、図３に示してある、格子が維持されている開放状態になるまで、その反対側に、枠７に対して相対的に枢動でき、格子の枢動側に位置する二つの足部１３の自由端部が、一方では、フックの形状の部分１０に、他方では、格子１の反対側の枠７の長手方向壁面に連結されている、対応する支承面１１の上方に垂直に立っている壁面１７に支承されて、枠７に対して、約１２０度の角開放状態に保持される。こうすると、格子１は、向い合わせの二つの支承面１１上に、対応する側で支承されて、開放状態に固定される。開放状態では、格子１は、この状態から解放されて、その枠７から持ち上げることによって、完全に引き外すことが出来る。鎖錠用フック１０から、いずれか一つの指状部材を離脱させることによって、格子１を枠７から直ちに直接かつ完全に解放することも可能である。
【００３３】
前記で明らかなように、対象指状部材８をその鎖錠用フック１０から離脱させ、格子１を図３に示してある方向に開けるために、その反対側で枢動させるか、図４に示してある反対側に開けるように枢動させるために、道具１２で、一方の側または他方の側のどちらからでも、同じく取り外すことができる。格子が片側で開錠されているとき、格子１をこの片側で持ち上げることによって、他方の鎖錠用指状部材は、対応する鎖錠用フック１０から自動的に離脱できる。
【００３４】
なお、枠７に対する格子１の取付け方向は、それぞれの向いている方向とは無関係であり得る。従って、車道において、枠７が正しい方向に従って正常に固定されていなくても、格子１は、それでも、鎖錠用手段８、１０の特別な配置で、取付けられる。並列スリット４が車道における枠７の取付け方向とは無関係に、歩道側に配置されるべき格子１の場合、格子１は、スリット４が確かに歩道側に取付けられて、スリット５が車道側に位置するように、常に取付けられることができる。従って、枠７は、特別な制約無しに配置できる。また、枠７が方向に関する特別な指示に従って車道に配置されるとしても、格子は、同一方向に方向付けされている規則正しいスリットを画定する並列の横断方向柵棒を含むタイプの格子であれば、上記枠に、どちらの方向にも取付けられる。
【００３５】
既知の格子とは逆に、枠からの格子の取り外しは、弾性的に変形できる柵棒に直接作用するのではなく、弾性的に変形できる内方柵棒に隣接する硬質外方柵棒に作用する道具で実施されるので、弾性的に変形できる柵棒を破壊する危険性は完全に排除される。
【図面の簡単な説明】
【００３６】
【図１】枠に取付けられた状態にある本発明の格子の斜視図である。
【図２】作業用道具で格子の片側をその枠から持ち上げた状態を表す、図１に類似する斜視図である。
【図３】枠の片側の開放状態を表す斜視図である。
【図４】図３の枠の反対側の開放状態を表す斜視図である。
【図５】図３の矢印Ｖに合わせた拡大斜視図である。
【図６】図４の矢印VIに合わせた拡大斜視図である。
【図７】関係枠内で鎖錠状態にある格子を表す、図１の矢印VIIに合わせた部分的透視拡大図である。
【図８】格子が枠上に単に乗せてあるとき、鎖錠用指状部材がその対応鎖錠用フックに係留される前の状態を表す、図７に類似する図である。
【符号の説明】
【００３７】
１  格子
２  並列柵棒
３  横断方向柵棒
４  並列スリット
５  横断方向スリット
６  中間並列スリット
７  枠
８  指状部材
８ａ  誘導用曲面状傾斜路
８ｂ  けづめ状部
９  無空洞外縁部
１０  フック状部分
１１  支承面
１２  衡鑿
１３  支承用足部
１４  支承用足部
１５  プレート
１６  支承面
１７  壁面
【図１】
2005534837.tif 000003
【図２】
2005534837.tif 000004
【図３】
2005534837.tif 000005
【図４】
2005534837.tif 000006
【図５】
2005534837.tif 000007
【図６】
2005534837.tif 000008
【図７】
2005534837.tif 000009
【図８】
2005534837.tif 000010
【国際調査報告】
2005534837.tif 000011
2005534837.tif 000012
2005534837.tif 000013
2005534837.tif 000014